(57)【要約】  【課題】  従来より低コストで構築することができるデータ放送システムを提供する。  【解決手段】  デジタル放送システム１０は、テレビ放送用の情報であるテレビ放送情報にデータ放送用の情報であるデータ放送情報のＵＲＬを付加したデジタル放送情報を生成するデジタル放送情報生成部２１を有したデジタル放送配信サーバ２０と、デジタル放送情報中のＵＲＬに基づいてデータ放送情報を取得するデータ放送情報取得部５１を有したデジタルチューナ５０とを備える。【選択図】  図１
2005295331.tif 000002
【特許請求の範囲】
【請求項１】
データ放送用の情報であるデータ放送情報のアドレス情報をテレビ放送用の情報であるテレビ放送情報に付加したアドレス付加情報を生成するアドレス付加情報生成手段を有したアドレス付加情報生成装置と、前記アドレス付加情報中の前記アドレス情報に基づいて前記データ放送情報を取得するデータ放送情報取得手段を有したデータ放送情報取得装置とを備えたことを特徴とするデータ放送システム。
【請求項２】
前記アドレス付加情報生成手段は、前記テレビ放送情報が放送されたチャンネルに応じて前記アドレス情報を付加することを特徴とする請求項１に記載のデータ放送システム。
【請求項３】
前記データ放送情報を記録するデータ放送情報記録手段を備え、
前記データ放送情報記録手段は、所定の条件に基づいて前記データ放送情報を更新することを特徴とする請求項１に記載のデータ放送システム。
【請求項４】
前記データ放送情報を再取得させる条件を含む前記データ放送情報を記録するデータ放送情報記録手段を備え、
前記データ放送情報取得手段は、前記条件に基づいて前記データ放送情報を再取得することを特徴とする請求項１に記載のデータ放送システム。
【請求項５】
前記アドレス付加情報中の前記テレビ放送情報及び前記データ放送情報取得手段によって取得された前記データ放送情報に基づいて出力用の情報である出力用情報を生成する出力用情報生成手段を備え、
前記出力用情報生成手段は、前記データ放送情報取得手段が新たな前記データ放送情報の取得に失敗したとき、前記データ放送情報取得手段によって過去に取得された前記データ放送情報に基づいて前記出力用情報を生成することを特徴とする請求項１に記載のデータ放送システム。
【請求項６】
前記アドレス付加情報中の前記テレビ放送情報の状態が所定の状態であるときに所定の映像情報及び所定のアドレス情報を含む所定の情報を生成する所定情報生成手段を備え、
前記データ放送情報取得手段は、前記所定の情報中の前記アドレス情報に基づいて前記データ放送情報を取得することを特徴とする請求項１に記載のデータ放送システム。
【請求項７】
前記所定情報生成手段は、前記アドレス付加情報中の前記テレビ放送情報が放送されたチャンネルに応じて前記所定の情報を生成することを特徴とする請求項６に記載のデータ放送システム。
【請求項８】
前記アドレス付加情報中の前記テレビ放送情報及び前記データ放送情報取得手段によって取得された前記データ放送情報に基づいて出力用の情報である出力用情報を生成する出力用情報生成手段を備え、
前記出力用情報生成手段は、前記アドレス付加情報中の前記アドレス情報に基づいて取得された前記データ放送情報より優先度が高いデータ放送情報である優先データ放送情報があるとき、前記アドレス付加情報中の前記アドレス情報に基づいて取得された前記データ放送情報より優先して前記優先データ放送情報に基づいて前記出力用情報を生成することを特徴とする請求項１に記載のデータ放送システム。
【請求項９】
データ放送用の情報であるデータ放送情報のアドレス情報をテレビ放送用の情報であるテレビ放送情報に付加したアドレス付加情報を生成するアドレス付加情報生成手段を備えたことを特徴とするアドレス付加情報生成装置。
【請求項１０】
前記アドレス付加情報生成手段は、前記テレビ放送情報が放送されたチャンネルに応じて前記アドレス情報を付加することを特徴とする請求項９に記載のアドレス付加情報生成装置。
【請求項１１】
データ放送用の情報であるデータ放送情報のアドレス情報をテレビ放送用の情報であるテレビ放送情報に付加したアドレス付加情報中の前記アドレス情報に基づいて前記データ放送情報を取得するデータ放送情報取得手段を備えたことを特徴とするデータ放送情報取得装置。
【請求項１２】
前記データ放送情報取得手段は、前記データ放送情報を再取得させる条件を含む前記データ放送情報中の前記条件に基づいて前記データ放送情報を再取得することを特徴とする請求項１１に記載のデータ放送情報取得装置。
【請求項１３】
データ放送用の情報であるデータ放送情報を記録するデータ放送情報記録手段を備え、
前記データ放送情報記録手段は、所定の条件に基づいて前記データ放送情報を更新することを特徴とするデータ放送情報記録装置。
【請求項１４】
データ放送用の情報であるデータ放送情報を記録するデータ放送情報記録手段を備え、
前記データ放送情報記録手段は、前記データ放送情報を再取得させる条件を含む前記データ放送情報を記録することを特徴とするデータ放送情報記録装置。
【発明の詳細な説明】
【技術分野】
【０００１】
本発明は、データ放送を行うデータ放送システムに関するものである。
【背景技術】
【０００２】
従来のデータ放送システムとしては、時間とともに変化する様々なデータ放送をテレビ放送中に混合させて配信するための多重化装置を備えたものが知られている（例えば特許文献１参照。）。
【特許文献１】特開２００２−３４１８０５号公報（第４頁、第１図）
【発明の開示】
【発明が解決しようとする課題】
【０００３】
しかしながら、従来のデータ放送システムにおいては、時間とともに変化する様々なデータ放送をテレビ放送中に混合させて配信するための特殊な多重化装置が必要であったので、システムを構築するために多くの費用が必要であるという問題があった。
【０００４】
本発明は、従来の問題を解決するためになされたもので、従来より低コストで構築することができるデータ放送システムを提供することを目的とする。
【課題を解決するための手段】
【０００５】
本発明のデータ放送システムは、データ放送用の情報であるデータ放送情報のアドレス情報をテレビ放送用の情報であるテレビ放送情報に付加したアドレス付加情報を生成するアドレス付加情報生成手段を有したアドレス付加情報生成装置と、前記アドレス付加情報中の前記アドレス情報に基づいて前記データ放送情報を取得するデータ放送情報取得手段を有したデータ放送情報取得装置とを備えた構成を有している。
【０００６】
この構成により、本発明のデータ放送システムは、アドレス付加情報中のアドレス情報に基づいてデータ放送情報取得装置がデータ放送情報を取得するので、時間とともに変化する様々なデータ放送をテレビ放送中に混合させて配信するための特殊な装置が必要なく、従来より低コストで構築することができる。
【０００７】
また、本発明のデータ放送システムは、前記アドレス付加情報生成手段は、前記テレビ放送情報が放送されたチャンネルに応じて前記アドレス情報を付加する構成を有している。
【０００８】
この構成により、本発明のデータ放送システムは、全てのチャンネルに対して同一のアドレス情報を付加する場合と比較して、テレビ放送のチャンネルに応じた柔軟なデータ放送を行うことができる。
【０００９】
また、本発明のデータ放送システムは、前記データ放送情報を記録するデータ放送情報記録手段を備え、前記データ放送情報記録手段は、所定の条件に基づいて前記データ放送情報を更新する構成を有している。
【００１０】
この構成により、本発明のデータ放送システムは、データ放送情報取得装置に取得されるデータ放送情報を更新するので、時間とともに変化する様々なデータ放送をテレビ放送中に混合させて配信するための特殊な装置が無くても、時間とともに変化する様々なデータ放送を行うことができる。
【００１１】
また、本発明のデータ放送システムは、前記データ放送情報を再取得させる条件を含む前記データ放送情報を記録するデータ放送情報記録手段を備え、前記データ放送情報取得手段は、前記条件に基づいて前記データ放送情報を再取得する構成を有している。
【００１２】
この構成により、本発明のデータ放送システムは、データ放送情報取得装置にデータ放送情報を再取得させるので、時間とともに変化する様々なデータ放送をテレビ放送中に混合させて配信するための特殊な装置が無くても、時間とともに変化する様々なデータ放送を行うことができる。
【００１３】
また、本発明のデータ放送システムは、前記アドレス付加情報中の前記テレビ放送情報及び前記データ放送情報取得手段によって取得された前記データ放送情報に基づいて出力用の情報である出力用情報を生成する出力用情報生成手段を備え、前記出力用情報生成手段は、前記データ放送情報取得手段が新たな前記データ放送情報の取得に失敗したとき、前記データ放送情報取得手段によって過去に取得された前記データ放送情報に基づいて前記出力用情報を生成する構成を有している。
【００１４】
この構成により、本発明のデータ放送システムは、データ放送情報取得手段が新たなデータ放送情報の取得に失敗したときでも出力用情報生成手段がデータ放送情報に基づいて出力用情報を生成するので、データ放送が中断されることを防止することができる。
【００１５】
また、本発明のデータ放送システムは、前記アドレス付加情報中の前記テレビ放送情報の状態が所定の状態であるときに所定の映像情報及び所定のアドレス情報を含む所定の情報を生成する所定情報生成手段を備え、前記データ放送情報取得手段は、前記所定の情報中の前記アドレス情報に基づいて前記データ放送情報を取得する構成を有している。
【００１６】
この構成により、本発明のデータ放送システムは、アドレス付加情報中のテレビ放送情報の状態が悪いときでも、所定の情報中のアドレス情報に基づいてデータ放送情報取得手段がデータ放送情報を取得するので、データ放送が中断されることを防止することができる。
【００１７】
また、本発明のデータ放送システムは、前記所定情報生成手段は、前記アドレス付加情報中の前記テレビ放送情報が放送されたチャンネルに応じて前記所定の情報を生成する構成を有している。
【００１８】
この構成により、本発明のデータ放送システムは、全てのチャンネルに対して同一の所定の情報を生成する場合と比較して、テレビ放送のチャンネルに応じた柔軟なデータ放送を行うことができる。
【００１９】
また、本発明のデータ放送システムは、前記アドレス付加情報中の前記テレビ放送情報及び前記データ放送情報取得手段によって取得された前記データ放送情報に基づいて出力用の情報である出力用情報を生成する出力用情報生成手段を備え、前記出力用情報生成手段は、前記アドレス付加情報中の前記アドレス情報に基づいて取得された前記データ放送情報より優先度が高いデータ放送情報である優先データ放送情報があるとき、前記アドレス付加情報中の前記アドレス情報に基づいて取得された前記データ放送情報より優先して前記優先データ放送情報に基づいて前記出力用情報を生成する構成を有している。
【００２０】
この構成により、本発明のデータ放送システムは、アドレス付加情報中のアドレス情報に基づいて取得されたデータ放送情報より優先して優先データ放送情報に基づいて出力用情報生成手段が出力用情報を生成するので、例えば、緊急放送等の優先度が高いデータ放送を通常のデータ放送より優先して行うことができる。
【００２１】
また、本発明のアドレス付加情報生成装置は、データ放送用の情報であるデータ放送情報のアドレス情報をテレビ放送用の情報であるテレビ放送情報に付加したアドレス付加情報を生成するアドレス付加情報生成手段を備えた構成を有している。
【００２２】
この構成により、本発明のアドレス付加情報生成装置は、アドレス付加情報中のアドレス情報に基づいてデータ放送情報を取得させるので、時間とともに変化する様々なデータ放送をテレビ放送中に混合させて配信するための特殊な装置がデータ放送システムに必要なく、データ放送システムを従来より低コストで構築することができる。
【００２３】
また、本発明のアドレス付加情報生成装置は、前記アドレス付加情報生成手段は、前記テレビ放送情報が放送されたチャンネルに応じて前記アドレス情報を付加する構成を有している。
【００２４】
この構成により、本発明のアドレス付加情報生成装置は、全てのチャンネルに対して同一のアドレス情報を付加する場合と比較して、テレビ放送のチャンネルに応じた柔軟なデータ放送をデータ放送システムに行わせることができる。
【００２５】
また、本発明のデータ放送情報取得装置は、データ放送用の情報であるデータ放送情報のアドレス情報をテレビ放送用の情報であるテレビ放送情報に付加したアドレス付加情報中の前記アドレス情報に基づいて前記データ放送情報を取得するデータ放送情報取得手段を備えた構成を有している。
【００２６】
この構成により、本発明のデータ放送情報取得装置は、アドレス付加情報中のアドレス情報に基づいてデータ放送情報を取得するので、時間とともに変化する様々なデータ放送をテレビ放送中に混合させて配信するための特殊な装置がデータ放送システムに必要なく、データ放送システムを従来より低コストで構築することができる。
【００２７】
また、本発明のデータ放送情報取得装置は、前記データ放送情報取得手段は、前記データ放送情報を再取得させる条件を含む前記データ放送情報中の前記条件に基づいて前記データ放送情報を再取得する構成を有している。
【００２８】
この構成により、本発明のデータ放送情報取得装置は、データ放送情報中の条件に基づいてデータ放送情報を再取得するので、時間とともに変化する様々なデータ放送をテレビ放送中に混合させて配信するための特殊な装置がデータ放送システムに無くても、時間とともに変化する様々なデータ放送をデータ放送システムに行わせることができる。
【００２９】
また、本発明のデータ放送情報記録装置は、データ放送用の情報であるデータ放送情報を記録するデータ放送情報記録手段を備え、前記データ放送情報記録手段は、所定の条件に基づいて前記データ放送情報を更新する構成を有している。
【００３０】
この構成により、本発明のデータ放送情報記録装置は、取得されるデータ放送情報を更新するので、時間とともに変化する様々なデータ放送をテレビ放送中に混合させて配信するための特殊な装置がデータ放送システムに無くても、時間とともに変化する様々なデータ放送をデータ放送システムに行わせることができるので、データ放送システムを従来より低コストで構築することができる。
【００３１】
また、本発明のデータ放送情報記録装置は、データ放送用の情報であるデータ放送情報を記録するデータ放送情報記録手段を備え、前記データ放送情報記録手段は、前記データ放送情報を再取得させる条件を含む前記データ放送情報を記録する構成を有している。
【００３２】
この構成により、本発明のデータ放送情報記録装置は、データ放送情報を取得する装置にデータ放送情報を再取得させるので、時間とともに変化する様々なデータ放送をテレビ放送中に混合させて配信するための特殊な装置がデータ放送システムに無くても、時間とともに変化する様々なデータ放送をデータ放送システムに行わせることができるので、データ放送システムを従来より低コストで構築することができる。
【発明の効果】
【００３３】
本発明は、従来より低コストで構築することができるデータ放送システムを提供することができるものである。
【発明を実施するための最良の形態】
【００３４】
以下、本発明の一実施の形態について、図面を用いて説明する。
【００３５】
まず、本実施の形態に係るデータ放送システムの構成について説明する。
【００３６】
図１に示すように、本実施の形態に係るデータ放送システムとしてのデジタル放送システム１０は、テレビ放送用の情報であるテレビ放送情報及びデータ放送用の情報であるデータ放送情報を含んだデジタル放送情報をＩＰ（Ｉｎｔｅｒｎｅｔ  Ｐｒｏｔｏｃｏｌ）ヘッダを付してＩＰネットワーク１１に配信するデジタル放送配信サーバ２０と、データ放送情報をＩＰヘッダを付してＩＰネットワーク１１に配信するデータ放送配信サーバ３０と、ＩＰネットワーク１１からデジタル放送情報やデータ放送情報を受信してＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４ヘッダを付してＩＥＥＥ１３９４ケーブル１２に出力するゲートウェイ装置４０と、ＩＥＥＥ１３９４ケーブル１２からデジタル放送情報やデータ放送情報を受信してデコードするデジタルチューナ５０と、デジタルチューナ５０によって出力される出力用情報に応じた出力を行うテレビ６０とを備えている。
【００３７】
デジタル放送配信サーバ２０は、ＩＰヘッダを付したデジタル放送情報を生成するデジタル放送情報生成部２１と、デジタル放送情報生成部２１によって生成されたデジタル放送情報をＩＰネットワーク１１を介してデジタルチューナ５０に配信するデジタル放送情報配信部２２とを有している。
【００３８】
ここで、図２に示すように、デジタル放送配信サーバ２０が配信するデジタル放送情報中のテレビ放送情報は、ＭＰＥＧ（Ｍｏｖｉｎｇ  Ｐｉｃｔｕｒｅ  Ｅｘｐｅｒｔｓ  Ｇｒｏｕｐ）−２信号である。また、デジタル放送配信サーバ２０が配信するデジタル放送情報中のデータ放送情報には、別のデータ放送情報のアドレス情報として、データ放送配信サーバ３０上のディレクトリのＵＲＬ（Ｕｎｉｆｏｒｍ  Ｒｅｓｏｕｒｃｅ  Ｌｏｃａｔｏｒ）だけが含まれている。即ち、デジタル放送配信サーバ２０が配信するデジタル放送情報はアドレス付加情報を構成しており、デジタル放送情報生成部２１はアドレス付加情報生成手段を構成しており、デジタル放送配信サーバ２０はアドレス付加情報生成装置を構成している。
【００３９】
また、デジタル放送情報生成部２１は、図３に示すように、例えば、チャンネル１０１が放送したテレビ放送情報にはＵＲＬ１１１、チャンネル１０２が放送したテレビ放送情報にはＵＲＬ１１２というように、テレビ放送情報が放送されたチャンネルに応じてＵＲＬを付加するようになっている。
【００４０】
また、図１に示すように、データ放送配信サーバ３０は、データ放送情報を記録するデータ放送情報記録手段としてのデータ放送情報記録部３１と、データ放送情報記録部３１に記録されたデータ放送情報をＩＰヘッダを付した後ＩＰネットワーク１１を介してデジタルチューナ５０に配信するデータ放送情報配信部３２とを有しており、データ放送情報記録装置を構成している。
【００４１】
なお、データ放送情報記録部３１は、時間等の所定の条件に基づいてデータ放送情報を更新するようになっている。例えば、データ放送情報記録部３１は、ＵＲＬ１１１に対応するディレクトリに記録されるデータリンクを図４に示すように切り換えることによって、ＵＲＬ１１１に対応するデータ放送情報を、時刻が午前１０時から午前１１時の間は、１０秒間“．／ｈｏｍｅ／ｂｍｌ／ｔｒａｆｆｉｃ”内のデータ放送情報にし、次の２０秒間“．／ｈｏｍｅ／ｂｍｌ／Ｗｅａｔｈｅｒ”内のデータ放送情報にし、更に次の１０秒間“．／ｈｏｍｅ／ｂｍｌ／ｗａｉｔ−ｔｉｍｅ”内のデータ放送情報にするという動作を繰り返すようになっている。また、データ放送情報記録部３１は、“．／ｈｏｍｅ／ｂｍｌ／ｔｒａｆｉｃ”等の各データリンク先のデータ放送情報自体も随時更新されるようになっている。
【００４２】
また、データ放送情報記録部３１が記録するデータ放送情報には、図５に示すように、主情報と、データ放送情報を再取得させる条件としての更新期間情報とが含まれている。
【００４３】
また、図１に示すように、ゲートウェイ装置４０は、デジタル放送配信サーバ２０又はデータ放送配信サーバ３０からＩＰネットワーク１１を介して受信した情報をＩＥＥＥ１３９４ケーブル１２を介してデジタルチューナ５０に出力する情報中継部４１と、デジタル放送情報に代えてデジタルチューナ５０に出力するための臨時情報を記録した臨時情報記録部４２と、デジタル放送配信サーバ２０から受信するデジタル放送情報中のＭＰＥＧ−２信号の状態が所定の状態であるとき、例えば、テレビ６０に表示することができるＭＰＥＧ−２信号がデジタル放送情報中に無いときに臨時情報記録部４２に記録された臨時情報を読み出す所定情報生成手段としての臨時情報読出部４３とを備えている。
【００４４】
ここで、臨時情報は、図６に示すように、ＭＰＥＧ−２信号である所定の映像情報と、データ放送配信サーバ３０上の所定のディレクトリのＵＲＬとを含む所定の情報であり、チャンネル別に臨時情報記録部４２に記録されている。したがって、臨時情報読出部４３は、例えば、チャンネル１０１が放送したテレビ放送情報用には映像情報１２１及びＵＲＬ１３１を含むチャンネル１０１用の臨時情報、チャンネル１０２が放送したテレビ放送情報用には映像情報１２２及びＵＲＬ１３２を含むチャンネル１０２用の臨時情報というように、デジタル放送情報中のＭＰＥＧ−２信号が放送されたチャンネルに応じて臨時情報を生成するようになっている。
【００４５】
また、図１に示すように、デジタルチューナ５０は、デジタル放送情報中や臨時情報中のＵＲＬに基づいてデータ放送情報を取得するデータ放送情報取得手段としてのデータ放送情報取得部５１と、テレビ６０での出力用の情報である出力用情報を生成する出力用情報生成手段としての出力用情報生成部５２とを有しており、データ放送情報取得装置を構成している。
【００４６】
ここで、データ放送情報取得部５１は、データ放送情報内の更新期間情報に基づいてデータ放送情報を再取得するようになっている。
【００４７】
また、出力用情報生成部５２は、デジタル放送情報中のテレビ放送情報や臨時情報中の映像情報と、データ放送情報取得部５１によって取得されたデータ放送情報とに基づいて出力用情報を生成するようになっている。また、出力用情報生成部５２は、データ放送情報取得部５１が新たなデータ放送情報の取得に失敗したとき、データ放送情報取得部５１によって過去に取得されたデータ放送情報に基づいて出力用情報を生成するようになっている。また、出力用情報生成部５２は、優先データ放送情報としての緊急情報があるとき、デジタル放送情報中や臨時情報中のＵＲＬに基づいて取得されたデータ放送情報より優先して緊急情報に基づいて出力用情報を生成するようになっている。ここで、緊急情報は、デジタル放送情報中や臨時情報中のＵＲＬに基づいて取得されたデータ放送情報より優先度が高いデータ放送情報である。
【００４８】
次に、デジタル放送システム１０の動作について説明する。
【００４９】
図７に示すように、デジタル放送配信サーバ２０は、デジタル放送情報生成部２１によって生成したデジタル放送情報を、予め指定されているスケジュールに従ってデジタル放送情報配信部２２によってＩＰネットワーク１１にマルチキャスト配信を行う（Ｓ７１）。
【００５０】
そして、利用者が図示していない番組選択装置によって視聴したい番組を選択すると、ゲートウェイ装置４０は、Ｓ７１においてデジタル放送配信サーバ２０によってマルチキャスト配信されたデジタル放送情報の中から利用者によって選択された番組のデジタル放送情報を情報中継部４１によってＩＰネットワーク１１から受信し、受信したデジタル放送情報をＩＥＥＥ１３９４ケーブル１２を介して情報中継部４１によってデジタルチューナ５０に出力する（Ｓ７２）。
【００５１】
デジタルチューナ５０は、Ｓ７２においてゲートウェイ装置４０によって出力されたデジタル放送情報をデータ放送情報取得部５１によって受信すると、受信したデジタル放送情報中のＵＲＬに基づいてデータ放送情報取得部５１によってゲートウェイ装置４０及びＩＰネットワーク１１を介してデータ放送配信サーバ３０にデータ放送情報を要求する（Ｓ７３）。
【００５２】
次いで、データ放送配信サーバ３０は、Ｓ７４においてデジタルチューナ５０によって要求されたＵＲＬに対応するディレクトリに記録されたデータリンクで参照されるデータ放送情報をデータ放送情報記録部３１からデータ放送情報配信部３２によって取得し、取得したデータ放送情報をデータ放送情報配信部３２によってＩＰネットワーク１１及びゲートウェイ装置４０を介してデジタルチューナ５０に配信する（Ｓ７４）。
【００５３】
なお、データ放送配信サーバ３０は、図４に示すような時間等の所定の条件に基づいてデータ放送情報を随時更新する（Ｓ７５）。
【００５４】
また、デジタルチューナ５０は、Ｓ７６及びＳ７７のように、データ放送配信サーバ３０によって配信されたデータ放送情報内の更新期間情報に基づいて更新期間の経過の度にデータ放送情報取得部５１によってデータ放送情報を再取得する。
【００５５】
なお、デジタルチューナ５０は、Ｓ７４においてデータ放送配信サーバ３０によって配信されたデータ放送情報をデータ放送情報取得部５１によって受信した後は、データ放送情報取得部５１によって受信したデジタル放送情報中のテレビ放送情報と、データ放送情報取得部５１によって受信したデータ放送情報とに基づいて出力用情報生成部５２によって出力用情報を生成してテレビ６０に出力し続ける。したがって、テレビ６０には、例えば図８に示すような画像８０が表示される。
【００５６】
画像８０中の画像８１は、テレビ放送情報に基づいて生成されており、テレビ放送のリフレッシュレートに応じて更新される。
【００５７】
また、画像８０中の画像８１以外の文字等の画像や、画像８０のレイアウトは、データ放送情報に基づいて生成されており、デジタルチューナ５０がデータ放送配信サーバ３０からデータ放送情報を取得する度に更新される。例えば、画像８０中の文字画像は、図５に示すように、現在表示中のデータ放送がアクセス情報又は天気予報であるときは２０秒で更新され、ニュース、交通量情報又は待ち時間情報であるときは１０秒で更新される。なお、デジタルチューナ５０は、新たなデータ放送情報の取得に失敗したとき、過去に取得したデータ放送情報に基づいて出力用情報を生成する。したがって、デジタルチューナ５０が新たなデータ放送情報の取得に成功するまで、更新期間に関係無く同じデータ放送がテレビ６０に表示され続けることもある。
【００５８】
なお、ゲートウェイ装置４０は、デジタル放送配信サーバ２０から受信したデジタル放送情報中にＭＰＥＧ−２信号が入っていない等の理由によってテレビ６０に表示することができるＭＰＥＧ−２信号がデジタル放送情報中に無い場合、臨時情報読出部４３によって臨時情報記録部４２に記録された臨時情報を読み出し、デジタル放送配信サーバ２０から受信したデジタル放送情報に代えて臨時情報を情報中継部４１によってデジタルチューナ５０に出力する。そして、デジタルチューナ５０は、ゲートウェイ装置４０から臨時情報を受信したとき、デジタル放送情報に基づいて動作するときと同様に臨時情報に基づいて動作する。したがって、例えば、テレビ６０には、臨時情報内の映像情報に基づく「只今、映像が停止しております。」という画像と、臨時情報内のＵＲＬに基づいて取得したデータ放送情報に基づくデータ放送の画像とが表示される。
【００５９】
また、デジタルチューナ５０は、台風の接近情報等の緊急情報が入力されたとき、デジタル放送情報中や臨時情報中のＵＲＬに基づいて取得されたデータ放送情報より優先して緊急情報に基づいて出力用情報を生成するので、テレビ６０には、デジタル放送情報中や臨時情報中のＵＲＬに基づいて取得されたデータ放送情報に基づくデータ放送ではなく、例えば「台風１３号が紀伊半島に上陸しました。」というような緊急情報に基づくデータ放送が表示される。
【００６０】
以上に説明したように、デジタル放送システム１０は、デジタル放送情報中のＵＲＬに基づいてデジタルチューナ５０がデータ放送情報を取得するので、時間とともに変化する様々なデータ放送をテレビ放送中に混合させて配信するための特殊な装置が必要なく、従来より低コストで構築することができる。
【００６１】
また、デジタル放送システム１０は、デジタル放送配信サーバ２０がデジタル放送情報を生成するときに全てのチャンネルに対して同一のＵＲＬを付加する場合と比較して、テレビ放送のチャンネルに応じた柔軟なデータ放送を行うことができる。なお、デジタル放送システム１０は、デジタル放送配信サーバ２０がデジタル放送情報を生成するときに全てのチャンネルに対して同一のＵＲＬを付加するようになっていても良い。
【００６２】
また、デジタル放送システム１０は、データ放送配信サーバ３０がデジタルチューナ５０に取得されるデータ放送情報を自動的に更新するので、時間とともに変化する様々なデータ放送をテレビ放送中に混合させて配信するための特殊な装置が無くても、時間とともに変化する様々なデータ放送を行うことができる。なお、デジタル放送システム１０は、管理者がデータ放送配信サーバ３０内のデータ放送情報を手動で更新するようになっていても良い。
【００６３】
また、デジタル放送システム１０は、データ放送情報内の更新期間情報に基づいてデジタルチューナ５０にデータ放送情報を再取得させるので、時間とともに変化する様々なデータ放送をテレビ放送中に混合させて配信するための特殊な装置が無くても、時間とともに変化する様々なデータ放送を行うことができる。なお、デジタル放送システム１０は、データ放送情報内の更新期間情報とは無関係にデジタルチューナ５０がデータ放送情報を再取得するようになっていても良い。
【００６４】
また、デジタル放送システム１０は、デジタルチューナ５０のデータ放送情報取得部５１が新たなデータ放送情報の取得に失敗したときでも出力用情報生成部５２がデータ放送情報に基づいて出力用情報を生成するので、データ放送が中断されることを防止することができる。
【００６５】
また、デジタル放送システム１０は、デジタル放送情報中のＭＰＥＧ−２信号の状態が悪いときでも、臨時情報中のＵＲＬに基づいてデータ放送情報取得部５１がデータ放送情報を取得するので、データ放送が中断されることを防止することができる。
【００６６】
また、デジタル放送システム１０は、ゲートウェイ装置４０が全てのチャンネルに対して同一の臨時情報を生成する場合と比較して、テレビ放送のチャンネルに応じた柔軟なデータ放送を行うことができる。なお、デジタル放送システム１０は、ゲートウェイ装置４０が全てのチャンネルに対して同一の臨時情報を生成するようになっていても良い。
【００６７】
また、デジタル放送システム１０は、デジタル放送情報中のＵＲＬに基づいて取得されたデータ放送情報より優先して緊急情報に基づいて出力用情報生成部５２が出力用情報を生成するので、緊急放送を通常のデータ放送より優先して行うことができる。
【００６８】
なお、デジタル放送システム１０は、デジタル放送情報中や臨時情報中のＵＲＬが全てデータ放送配信サーバ３０上のディレクトリを指しているが、データ放送配信サーバ３０に限らず様々なデータ放送配信サーバ上のディレクトリを指していても良い。
【００６９】
また、デジタル放送システム１０は、データ放送情報記録手段がデータ放送配信サーバ３０のデータ放送情報記録部３１によって構成されるようになっているが、データ放送情報記録手段がデータ放送配信サーバ３０のデータ放送情報記録部３１以外のものによって構成されるようになっていても良い。例えば、データ放送情報記録手段は、デジタル放送配信サーバ２０に備えられていても良い。
【００７０】
また、デジタル放送システム１０は、出力用情報生成手段がデジタルチューナ５０の出力用情報生成部５２によって構成されるようになっているが、出力用情報生成手段がデジタルチューナ５０の出力用情報生成部５２以外のものによって構成されるようになっていても良い。例えば、出力用情報生成手段は、テレビ６０に備えられていても良い。
【００７１】
また、デジタル放送システム１０は、所定情報生成手段がゲートウェイ装置４０の臨時情報読出部４３によって構成されるようになっているが、所定情報生成手段がゲートウェイ装置４０の臨時情報読出部４３以外のものによって構成されるようになっていても良い。例えば、所定情報生成手段は、デジタルチューナ５０に備えられていても良い。
【産業上の利用可能性】
【００７２】
以上のように、本発明に係るデータ放送システムは、従来より低コストで構築することができるという効果を有し、デジタル放送システム等として有用である。
【図面の簡単な説明】
【００７３】
【図１】本発明の一実施の形態に係るデジタル放送システムの構成を示すブロック図
【図２】図１に示すデジタル放送システムで配信されるデジタル放送情報の構成を示す図
【図３】図２に示すデジタル放送情報中のＵＲＬと、チャンネルとの関係を示す図
【図４】図１に示すデジタル放送システムのデータ放送配信サーバでのデータ放送情報の更新例を示す図
【図５】図１に示すデジタル放送システムのデータ放送配信サーバに記録されたデータ放送情報の構成を示す図
【図６】図１に示すデジタル放送システムのゲートウェイ装置に記録された臨時情報の構成を示す図
【図７】図１に示すデジタル放送システムの動作を示すシーケンス図
【図８】図１に示すデジタル放送システムのテレビに表示される画像の例を示す図
【符号の説明】
【００７４】
１０  デジタル放送システム（データ放送システム）
２０  デジタル放送配信サーバ（アドレス付加情報生成装置）
２１  デジタル放送情報生成部（アドレス付加情報生成手段）
３０  データ放送配信サーバ（データ放送情報記録装置）
３１  データ放送情報記録部（データ放送情報記録手段）
４３  臨時情報読出部（所定情報生成手段）
５０  デジタルチューナ（データ放送情報取得装置）
５１  データ放送情報取得部（データ放送情報取得手段）
５２  出力用情報生成部（出力用情報生成手段）
１０１、１０２  チャンネル
１１１、１１２、１３１、１３２  ＵＲＬ（アドレス情報）
【図１】
2005295331.tif 000003
【図２】
2005295331.tif 000004
【図３】
2005295331.tif 000005
【図４】
2005295331.tif 000006
【図５】
2005295331.tif 000007
【図６】
2005295331.tif 000008
【図７】
2005295331.tif 000009
【図８】
2005295331.tif 000010